(57)【特許請求の範囲】
【請求項１】
自動車後部のデッキボードを上段位置と下段位置とに切替え可能な自動車用デッキルームの上下切替構造であって、
デッキルームの左右側面に、前記上段位置を越えない高さに設けられた一対のガイド突起と、
前記デッキボードの左右側面に設けられた一対の切欠きと、
を有し、
前記下段位置に位置する前記デッキボードの前端部を支軸として前記デッキボードの後端部が上方へ持ち上げられる前記デッキボードの回動運動を案内するように、前記一対のガイド突起は、該回動運動の軌跡上で前記一対の切欠き内に含まれるようにされている、
自動車用デッキルームの上下切替構造。
【請求項２】
前記デッキルームの左右側面の、前記ガイド突起よりも前方に、前記上段位置で前記一対のデッキボードの前端部を支持するデッキボード前端支持部を有している、請求項１に記載の自動車用デッキルームの上下切替構造。
【請求項３】
前記デッキボード前端支持部は、
前記上段位置で前記デッキボードの自重の一部を支持する自重支持部と、
前記自重支持部から上方に延び、前記デッキボードの前端部を拘束する凹部を前記自重支持部とともに形成する上部延伸部と、
前記自重支持部から後方に、下方に傾斜して延びる傾斜面と、
を有する、
請求項２に記載の自動車用デッキルームの上下切替構造。
【請求項４】
前記一対のガイド突起は前記下段位置から前記上段位置まで連続して延びている、請求項１から３のいずれか１項に記載の自動車用デッキルームの上下切替構造。
【請求項５】
前記一対のガイド突起の頂部は、前方に湾曲部を、後方に平坦部を備えている、請求項４に記載の自動車用デッキルームの上下切替構造。
【請求項６】
前記デッキルームの左右側面の、前記ガイド突起よりも後方に、一対のデッキボード後端支持部を有し、
前記一対のガイド突起は、前記下段位置から、該下段位置と前記上段位置との間の途中の高さまで、連続して延びている、
請求項１から３のいずれか１項に記載の自動車用デッキルームの上下切替構造。
【請求項７】
前記一対のガイド突起は、前後方向の幅が上方に向かって次第に狭くなっている、請求項４から６のいずれか１項に記載の自動車用デッキルームの上下切替構造。
【請求項８】
前記一対のガイド突起は円柱状の突起である、請求項１から３のいずれか１項に記載の自動車用デッキルームの上下切替構造。
【請求項９】
前記デッキルームの左右側面に、前記一対のガイド突起と協働して、前記デッキボードを前記下段位置から回動させた状態で保持する自立位置規制部が設けられている、請求項１から８のいずれか１項に記載の自動車用デッキルームの上下切替構造。
【請求項１０】
前記デッキボードの下面の左右側方には、
前記一対の切欠きと前記前端部との間に設けられた一対の第１の凸部と、
前記一対の切欠きと前記一対の第１の凸部との間に設けられた一対の第２の凸部と、
前記一対の第１の凸部と前記一対の第２の凸部との間に設けられた一対の回動凹部と、
が形成され、
前記デッキボードを前記下段位置から前記一対の切欠きが前記一対のガイド突起を抜けるまで回動させた状態で後方に引いたときに、前記ガイド突起は、前記一対の第２の凸部を乗り越えて前記一対の第１の凸部で係止し、前記一対の回動凹部に回動可能に嵌合するようにされている、
請求項１から９のいずれか１項に記載の自動車用デッキルームの上下切替構造。
【発明の詳細な説明】
【技術分野】
【０００１】
本発明は、自動車後部のデッキルームのフロア面を構成するデッキボード及びその支持構造に関し、特に、自動車後部のデッキボードを上段位置と下段位置とに切替え可能な自動車用デッキルームの上下切替構造に関する。
【背景技術】
【０００２】
従来より、自動車用デッキボードを上下２段階に配置するための種々の機構が考案されている。例えば、特許文献１には、デッキルームの相対向する側壁の同じ高さ位置にそれぞれ段部を形成し、一方の段部を側壁から突出した突条で形成した、自動車用デッキボードの上下切替構造が開示されている。側壁間の幅に略等しいデッキボードをフロア面に載置した下段位置から上方に持ち上げて、前記段部に載置することによって、デッキボードを上段位置に切替えることができる。
【０００３】
しかしながら、自動車用デッキボードはデッキフロアのほぼ全面を覆ってフロア面を構成するため、必然的にサイズが大きくなると共に、重量も大きくなる。このため、特許文献１に開示されたデッキボードの上下切替構造では、使用者が片手で上下切替を行なうことは困難である。使用者は、デッキルームに載置する荷物を持った状態でデッキボードの上下切替操作を行なうことが多いため、片手操作ができないデッキボードの２段切替構造は利便性が悪い。
【０００４】
このような課題を解決するために、片手操作が可能な自動車用デッキボードの上下切替構造が特許文献２〜８に開示されている。
【０００５】
特許文献２に開示されたデッキボードの上下切替構造では、デッキボードが前後に分割され、ヒンジ部品で折曲可能に連結されている。前側のボードは車体側に設けた付勢手段に連結され、常時前方へ付勢されている。さらに、前後の各ボードに摺動軸ピンが組付けられ、摺動軸ピンが摺動するガイド溝がデッキサイドに設けられている。このような構造によって、片手での上下切替が実現されている。
【０００６】
しかしながら、このような上下切替構造では、ボードを分割することによる強度低下や製造工数の増加、部品点数の増加による重量、コストの増加等の課題が生じる。
【０００７】
特許文献３に開示されたデッキボードの上下切替構造では、上段位置と下段位置の間に回動軸を有するレバー部品がデッキサイドに設けられ、レバー部品の回動軸とは反対側の端部でデッキボードが回動可能に軸支されている。このような構造によって、上段位置と下段位置とが片手操作で切替え可能とされている。
【０００８】
しかし、この構造においても、レバー部品の設定による構成部品の増加に伴い、繰り返し使用による耐久性の悪化や、部品点数の増加による重量、製作コストの増加等の課題が生じる。また、片手での上下切替における操作性を向上させるためには、このような構造においても、デッキサイドにガイド溝や付勢手段等を設定する必要がある。
【０００９】
同様に、特許文献４〜８に開示された自動車用デッキボードの上下切替構造についても、片手操作を可能とするためには、部品点数、製造コストの増加が避けられない。
【特許文献１】特許第３３０２５７１号公報
【特許文献２】特開２００７−９１１００号公報
【特許文献３】特表２００５−５２９０２４号公報
【特許文献４】特開２００５−２１９７０２号公報
【特許文献５】特開２００７−１９１１２７号公報
【特許文献６】特開２００７−３０８１２０号公報
【特許文献７】欧州特許第１３７８３９７号明細書
【特許文献８】特開２００７−９１１０５号公報
【発明の開示】
【発明が解決しようとする課題】
【００１０】
上記のように、片手操作を可能とした従来公知のデッキボードの上下切替構造（特許文献２〜８）は、構成部品が増加することによって、構造が複雑化し、コスト及び重量が増加するとともに、耐久性に課題を生じていた。
【００１１】
このような従来の自動車用デッキボードの課題に鑑み、本発明の目的は、デッキボードの上段位置と下段位置を片手で切替操作可能な自動車用デッキボードの上下切替構造であって、部品点数が抑えられ軽量かつ簡素な構造とすることにより、製造コストを低減するとともに不具合の発生を可及的に低減することを可能にした、自動車用デッキボードの上下切替構造を提供することである。
【課題を解決するための手段】
【００１２】
本発明の一実施態様によれば、自動車後部のデッキボードを上段位置と下段位置とに切替え可能な自動車用デッキルームの上下切替構造は、デッキルームの左右側面に、上段位置を越えない高さに設けられた一対のガイド突起と、デッキボードの左右側面に設けられた一対の切欠きと、を有している。下段位置に位置するデッキボードの前端部を支軸としてデッキボードの後端部が上方へ持ち上げられるデッキボードの回動運動を案内するように、一対のガイド突起は、回動運動の軌跡上で一対の切欠き内に含まれるようにされている。
【００１３】
この構成によれば、デッキサイドにガイド突起、デッキボードに切欠きを設けるだけで、デッキボードの下段位置と上段位置の切替を片手で操作可能となるため、新規の構成部品を追加することなく簡易で安価な自動車用デッキボードの上下切替構造を提供することが可能となる。ここでガイド突起は、デッキボードの回動操作のガイドになるとともに、デッキボードの回転の支点となる。
【００１４】
デッキルームの左右側面の、ガイド突起よりも前方に、上段位置で一対のデッキボードの前端部を支持するデッキボード前端支持部を有していることが望ましい。さらに、デッキボード前端支持部は、上段位置でデッキボードの自重の一部を支持する自重支持部と、自重支持部から上方に延び、デッキボードの前端部を拘束する凹部を自重支持部とともに形成する湾曲部と、自重支持部から後方に、下方に傾斜して延びる傾斜面と、を有していることが望ましい。この構成によれば、デッキボードの前端部が凹部で拘束されるため、上段位置における安定性が向上するとともに、傾斜面によって、操作性がさらに向上する。
【００１５】
一対のガイド突起は下段位置から上段位置まで連続して延びていてもよい。この構成によれば、ガイド突起に、デッキボードの上段位置において、デッキボードを支持する機能が付与されるため、新たな構成部品を追加したり、デッキボードに支持部を追加したりする必要がない。また、ガイド突起を上段位置から下段位置まで設けることによってガイド突起の強度が上昇し、上段位置での耐荷重性が向上する。
【００１６】
一対のガイド突起の頂部は、前方に湾曲部を、後方に平坦部を備えていることが望ましい。湾曲部によって、デッキボードの回動操作の操作性が向上するとともに、平坦部によって、上段位置におけるデッキボードの安定性が向上する。
【００１７】
デッキルームの左右側面の、ガイド突起よりも後方に、一対のデッキボード後端支持部を有し、一対のガイド突起は、下段位置から、下段位置と上段位置との間の途中の高さまで、連続して延びていても構わない。
【００１８】
一対のガイド突起は、前後方向の幅が上方に向かって次第に狭くなっていることが望ましい。下段位置においては、デッキボードの移動が規制され、所定の位置に固定されやすくなるため、走行中の異音の発生を可及的に防止できる。また、前後方向の幅が上方に向かって次第に狭くなっているため、デッキボードの上下切替の操作性が向上する。
【００１９】
一対のガイド突起は円柱状の突起であってもよい。
【００２０】
デッキルームの左右側面に、一対のガイド突起と協働して、デッキボードを下段位置から回動させた状態で保持する自立位置規制部が設けられていることが望ましい。自立位置規制部とガイド突起との間にデッキボードを立て掛けることによって、デッキボードが開いた状態で回動が規制されるため、使用者はデッキボードを手で保持することなく、荷物を出し入れすることが可能となり、利便性が著しく向上する。
【００２１】
デッキボードの下面の左右側方には、一対の切欠きと前端部との間に設けられた一対の第１の凸部と、一対の切欠きと一対の第１の凸部との間に設けられた一対の第２の凸部と、一対の第１の凸部と一対の第２の凸部との間に設けられた一対の回動凹部と、が形成され、デッキボードを下段位置から一対の切欠きが一対のガイド突起を抜けるまで回動させた状態で後方に引いたときに、ガイド突起は、一対の第２の凸部を乗り越えて一対の第１の凸部で係止し、一対の回動凹部に回動可能に嵌合するようにされていてもよい。第１の凸部がストッパとして機能するとともに、第２の凸部によって節度感を付与されるため、デッキボードの上段位置における回動操作をガイドする回動凹部とガイド突起の位置決めが容易となり、操作性が一層向上する。
【発明の効果】
【００２２】
本発明によれば、新たな構成部品を追加することなく、簡易かつ経済的で、片手操作で上下２段階に切替可能な、自動車用デッキボードの上下切替構造を提供することが可能となる。
【発明を実施するための最良の形態】
【００２３】
以下、本発明を実施するための最良の形態を図面を参照して説明する。なお、本明細書において、「前方」、「前端部」等の用語は自動車の前方に対応し、「後方」、「後端部」等の用語は自動車の後方に対応する。「左右」は自動車の車幅方向を意味する。
【００２４】
図１Ａは、自動車の後部シートの背面からバックドアまでのデッキルームの車室内側を被覆する自動車用デッキボードとデッキサイドトリムの斜視図である。図１Ｂは、図１Ａに示すデッキサイドトリムの部分詳細図である。荷物収納空間として用いられるデッキルームにおいて、デッキボード１及びデッキサイドトリム２は、鋼板製の車体パネルの室内側を被覆して、自動車室内を装飾し意匠性を付与したり、吸音性や遮音性などを付与したりすることを目的として配設される。デッキボード１はデッキルームのフロア面に敷設される。デッキサイドトリム２はデッキルームの左右側面に配設される。図示は省略しているが、デッキルームの左側側面にも、図示のデッキサイドトリム２と鏡面対称形状のデッキサイドトリムが配設されている。
【００２５】
図２，３は、自動車用デッキボードとデッキサイドトリムを自動車に組付けた状態を示す部分破断斜視図である。図２は、デッキボード１が下段位置Ｌにある状態を示しており、図３はデッキボード１が上段位置Ｈにある状態を示している。
【００２６】
デッキボード１は、図２に示す下段位置Ｌにおいて、デッキルームのフロア下に収納されるスペアタイヤ３の上方に配設されている。デッキボード１は、この状態では、スペアタイヤ３が収納される収納凹部の開口を塞ぐ蓋として機能し、フラットなフロア面を構成している。デッキボード１を下段位置Ｌに配設すれば、デッキボード１の上方に形成される荷物収納スペースを最大限に確保することが可能になる。
【００２７】
デッキボード１を図３に示す上段位置Ｈに配設することによって、荷物収納スペースを上下に仕切ることができる。この結果、荷物をデッキボード１に載置できるだけでなく、デッキボード１の下方にできたスペースにも荷物を収納することができ、利便性が向上する。また、リヤシート４を前倒しして、荷物収納スペースを拡大させた場合に、リヤシート４とデッキボード１とを面一にすることによって、拡大した荷物収納スペースのフロア面をフルフラット化することが可能となる。
【００２８】
デッキボード１は、左右側面のデッキサイドトリム２間の距離とほぼ同じ幅となるように形成されている。デッキボード１は、比較的剛性のある成形された板状体からなり、特に、ブロー成形によって成形された中空の板状体が、比較的軽量でありながら所要の剛性を付与可能なため、好適に用いられる。デッキボード１は、デッキルームのフロア面に敷設することによって、フロア面をフラット化させて荷物を載置可能とする。デッキボード１はまた、フロアに形成された収納用の凹部やフロアに配設された収納ボックスの開口を開閉可能に塞ぐ蓋として機能する。
【００２９】
デッキボード１は、使用者が手を入れて開閉操作を行うことができるように、後端部２５近傍に、デッキボード１の厚み方向に貫通する開口からなる把持部１１が形成されている。デッキボード１の上面には不織布からなる表皮１２が成形と同時に貼着され、自動車の内装材として好適な意匠や手触り感を付与している。なお、「上面」とは、通常の使用状態及び下記に示す操作状態で上方を向いた、デッキボード１の一方の面をいい、「下面」とは、通常の使用状態及び下記に示す操作状態で下方を向いた、デッキボード１の他方の面をいう。
【００３０】
デッキボード１の左右側面には、後述するガイド突起２１に対応する位置に、ガイド突起２１の突出高さｈ１と略同じ深さ（奥行き）ｈ２を有する一対の切欠き１３が、デッキボード１を厚み方向に貫通して形成されている。
【００３１】
図４は、デッキボードの下面の形状を示す概略図である。デッキボード１の下面の左右側方には、一対の切欠き１３と前端部２４との間に設けられた一対の第１の凸部１４ａと、一対の切欠き１３と一対の第１の凸部１４ａとの間に設けられた一対の第２の凸部１４ｂと、一対の第１の凸部１４ａと一対の第２の凸部１４ｂとの間に設けられた一対の回動凹部１４ｃと、が形成されている。図４はデッキボードの左右側方の一方だけを示しており、第１，第２の凸部１４ａ，ｂ及び回動凹部１４ｃは各々一つしか示されていないが、図示されていない他方は、図示の第１，第２の凸部１４ａ，ｂ及び回動凹部１４ｃと鏡面対称形状で同様に設けられている。デッキボード１を下段位置Ｌから回動させた状態で後方に引いたときに、後述するガイド突起２１は、一対の第２の凸部１４ｂを乗り越えて一対の第１の凸部１４ａで係止し、一対の回動凹部１４ｃに回動可能に嵌合するようにされている。回動凹部１４ｃは後述するガイド突起２１の湾曲部２１ａとほぼ同じ曲率を有している。
【００３２】
再び図１〜３を参照すると、デッキサイドトリム２は、デッキサイドを構成する車体パネルに沿った形状に成形されている。デッキサイドトリム２は、熱可塑性樹脂を射出成形して形成されているが、バインダー繊維を含有させた樹脂繊維または熱硬化性樹脂繊維をプレス成形することによって形成してもよい。図１〜３は一方のデッキサイドトリムだけを示しているが、デッキサイドトリム２はデッキルームの左右側面に鏡面対称の形状で設けられている。
【００３３】
デッキルームの左右側面のデッキサイドトリム２には、デッキボード１の下段位置Ｌから上段位置Ｈまで延びるガイド突起２１が突出形成されている。ガイド突起２１の上端は上段位置Ｈとほぼ略一致しており、上段位置Ｈを越えることはない。
【００３４】
上述のように、デッキボード１の左右側面には、ガイド突起２１に対応する位置に、一対の切欠き１３が形成されている。下段位置Ｌに位置するデッキボード１の前端部２４を支軸としてデッキボード１の後端部２５が上方へ持ち上げられるように、把持部１１を持ってデッキボード１の回動運動を行なうと、切欠き１３とガイド突起２１とが摺動し、デッキボード１の回動運動が案内される。一対のガイド突起２１は、デッキボード１の切欠き１３の上記回動運動の軌跡上で、一対の切欠き１３内に含まれるようにされている。
【００３５】
一対のガイド突起２１は下段位置Ｌから上段位置Ｈまで連続して延びている。ガイド突起２１の頂部は、前方に湾曲部２１ａを、後方に平坦部２１ｂを備えている。一対のガイド突起２１の前後方向の幅は、デッキボード１の下段位置Ｌでは切欠き１３の前後方向の幅とほぼ同じであるが、上方に向かって次第に狭くなっている。このような構成とすることによって、下段位置Ｌにおいて、デッキボード１の前後方向の移動が規制され、位置決めされるため、ガタツキや異音の発生が防止される。また、下段位置Ｌから前端部２４を回動軸としてデッキボード１を回動操作する際に、切欠き１３とガイド突起２１とが干渉し難くなり、デッキボード１の操作性が向上する。
【００３６】
デッキサイドトリム２には、ガイド突起２１の他に、デッキボード前端支持部２２と、デッキボード後端支持部２３と、が形成されている。より詳細には、デッキルームの左右側面の、ガイド突起２１よりも前方には、上段位置Ｈでデッキボード２１の前端部２４を支持する一対のデッキボード前端支持部２２が形成されている。デッキルームの左右側面の、ガイド突起２１よりも後方には、上段位置Ｈでデッキボード２１の後端部２５を支持する一対のデッキボード後端支持部２３が形成されている。これらデッキボード前端支持部２２とデッキボード後端支持部２３とガイド突起２１の上端にデッキボード１を載置することによって、デッキボード１は上段位置Ｈに保持される。この場合、ガイド突起２１においては、デッキボード１はガイド突起２１の平坦部２１ｂ上に載置される。
【００３７】
上述の実施形態では、デッキボード１は、デッキルームの左右各側において３点支持されている。しかし、デッキボード１の支持方法は、デッキボード前端支持部２２とデッキボード後端支持部２３との２点支持、または前端支持部２２とガイド突起２１との２点支持でも構わない。前者の場合、一対のガイド突起２１は、下段位置Ｌから、下段位置Ｌと上段位置Ｈとの間の途中の高さまで、連続して延びるように形成される。
【００３８】
デッキボード前端支持部２２は、上段位置Ｈでデッキボード１の自重の一部を支持する自重支持部２２ａと、自重支持部２２ａから上方に延び、デッキボード１の前端部２４を拘束する凹部２２ｆを自重支持部２２ａとともに形成する上部延伸部２２ｂと、自重支持部２２ａから後方に、下方に傾斜して延びる傾斜面２２ｃと、を有している。デッキボード前端支持部２２はさらに、下段位置Ｌの前端に形成された下段位置規制部２２ｄと、傾斜面２２ｃと下段位置規制部２２ｄとを結ぶ傾斜面２２ｅと、下段位置Ｌの下段位置規制部２２ｄよりも後方に形成された自立位置規制部２２ｇ、とを有している。
【００３９】
図５は、以上説明したデッキボード１を下段位置から上段位置へ切替える際の上下切替操作方法を示す断面図である。
【００４０】
図５（ａ）は、デッキボード１が下段位置Ｌにある時の状態を示している。デッキボード１の前端部２４は、デッキボード前端支持部２２に形成された下段位置規制部２２ｄによって前方への移動が規制されると共に、切欠部１３がガイド突起２１に嵌合することによって、位置決めされている。これにより、自動車走行中のデッキボード１のガタツキによる異音の発生を防止することができる。
【００４１】
使用者は、図５（ａ）に示した下段位置Ｌにあるデッキボード１の把持部１１に手を入れデッキボード１の後端部２５を上方へ持ち上げることによって、図５（ｂ）に示すように、デッキボード１の前端部２４を支軸として、デッキボード１を回動させる。この回動操作は、切欠き１３がガイド突起２１の上端から抜けるまで続けられる。デッキボード前端支持部２２に形成された傾斜面２２ｅがデッキボード１の回動操作のストッパとして機能する。
【００４２】
次に、図５（ｃ）に示すように、デッキボード１をガイド突起２１の上端の湾曲部２１ａ上で摺動させて、斜め後方に引っ張る。デッキボード１は、下面に形成された第２の凸部１４ｂがガイド突起２１を乗り越え、第１の凸部１４ａがガイド突起２１と当接すると停止する。このように、第１の凸部１４ａはデッキボード１の引っ張り操作の際にストッパとして機能する。第１の凸部１４ａがガイド突起２１と当接すると、ガイド突起２１は同時に回動凹部１４ｃと嵌合し、次の回動操作の準備が整う。
【００４３】
第２の凸部１４ｂを設けることによって、引っ張り操作の際に節度感を付与することができるため、操作性が向上する。即ち、ガイド突起２１と回動凹部１４ｃとの嵌合が完了したことを、視認することなく確認することができる。
【００４４】
傾斜面２２ｅは、図５（ｃ）で示した引き出し操作の際の操作性を考慮して最適な角度となるように設定されている。具体的には、水平面との角度αを３０°〜５０°に設定することが好ましく、３５°〜４５°がより好ましい。
【００４５】
続いて、図５（ｄ）に示すように、ガイド突起２１の上端に形成した湾曲部２１ａを支点として、デッキボード１を下方に回動させる。図５（ｄ）に示す回動操作の際には、湾曲部２１ａと回動凹部１４ｃとが摺動するため、良好な操作性が得られる。
【００４６】
次に図５（ｅ）に示すように、第２の凸部１４ｂがガイド突起２１を再び乗り越え、デッキボード１の前端部２４がデッキボード前端支持部２２に形成された凹部２２ｆに嵌合するまで、デッキボード１を前方に押し込む。この時、デッキボード前端支持部２２の傾斜面２２ｃによって、デッキボード１の前端部２４が案内される。
【００４７】
デッキボード１の第２の凸部１４ｂは、このように引っ張り操作と押し込み操作の２回に渡ってガイド突起２１を乗り越える。これらの操作における操作性を良好にするために、第２の凸部１４ｂは緩やかに傾斜した形状とすることが好ましく、傾斜角度βは２０°程度であることが好ましい。
【００４８】
続いて、図５（ｆ）に示すように、デッキボード１を、デッキボード前端支持部２２の水平面２２ａ及び傾斜面２２ｃと、ガイド突起２１の平坦部２１ｂと、デッキボード後端支持部２３とに載置し、上段位置Ｈへの切替が完了する。
【００４９】
図５（ａ）〜（ｆ）は、デッキボード１の下段位置Ｌから上段位置Ｈへの切替操作について示しているが、上段位置Ｈから下段位置Ｌへの切替は、この操作手順を逆に行なえばよい。
【００５０】
上述のように本発明による自動車用デッキボードの上下切替構造によれば、単純な引っ張り、回動、押し込みといった操作のみで、下段位置と上段位置とを切替えることが可能となる。また、ガイド突起２１を支点とした回動操作を利用しているため、操作力が大幅に低減され、使用者が片手に荷物を持った状態でも、もう一方の手だけで操作することが可能となる。また、上下切替のために、バネなどの付勢部材や、軸ピンなどの構成部品を設ける必要がなく、製造コストを低減し、耐久性能に優れた安価で簡易な自動車用デッキボードの上下切替構造を提供することができる。
【００５１】
図６は、デッキボードを下段位置から上方へ回動させた状態で保持可能な自立位置にある時の状態を示している。デッキルームの左右側面のデッキボード前端支持部２２には、一対のガイド突起２１と協働して、デッキボード１を下段位置Ｌから回動させた状態で保持する自立位置規制部２２ｇが設けられている。デッキボード１の前端部２４を自立位置規制部２２ｇに係止させるとともに、デッキボード１をガイド突起２１に立て掛けることによって、デッキボード１を開いた状態で保持することができる。これにより、使用者は、デッキボード１を立て掛けた状態で荷物の出し入れができるようになるため、利便性が著しく向上する。本実施形態では、自立位置規制部２２ｇはデッキボード前端支持部２２の一部として一体形成されているが、デッキボード前端支持部２２から所定の間隔をあけた位置にデッキサイドトリム２から突出する凸部を形成してもよいし、車体側に凸状または凹状の別部品を設けても構わない。
【００５２】
図７には、上段位置における自動車用デッキボードのリバーシブルモードを示した斜視図である。デッキボード１は裏返して配設することもできる。不織布からなる表皮１２を下側に、樹脂面からなる下面を車室内側（上側）にすることによって、濡れたものを載置したい場合などに、表皮１２を汚すことなく荷物を収納でき、利便性が一層向上して好ましい。また、デッキボード１の表裏面の意匠を変えることにより、使用者の好みに応じていずれかの面を選択することもできる。
【００５３】
図８には、ガイド突起の他の実施例を示している。本実施形態では、一対の円柱状のガイド突起２１′がデッキサイドトリム２から延出形成されている。ガイド突起２１′はデッキボード１の上段位置Ｈにおいて、デッキボード１を支持する機能を果たす。ガイド突起２１′は、デッキボード１を下段位置Ｌからその前端部２４を支軸として回動させた際に、デッキボード１に形成された切欠き１３の回転軌跡に含まれる位置に形成される。この構成によれば、荷物収納スペースが拡大するとともに、意匠性の低下を防止できる。ガイド突起２１′の上端は上段位置Ｈに位置しているが、ガイド突起２１′を上段位置Ｈでデッキボード１を支持するために用いない場合は、上段位置Ｈよりも若干下方に設けてもよい。ガイド突起２１′をこのように配設しても、引っ張り、回動、及び押し込み操作のガイドとしての機能は確保される。
【図面の簡単な説明】
【００５４】
【図１Ａ】本発明による自動車用デッキボードの上下切替構造を構成する自動車用デッキボードとデッキサイドトリムとを、車輌への組付前の状態で示した斜視図である。
【図１Ｂ】図１Ａの部分詳細図である。
【図２】下段位置にある自動車用デッキボードを示す斜視図である。
【図３】上段位置にある自動車用デッキボードを示す斜視図である。
【図４】自動車用デッキボードの下面の部分拡大斜視図である。
【図５】本発明による自動車用デッキボードの上段位置と下段位置の切替構造の操作説明図である。
【図６】自立位置にある自動車用デッキボードを示す断面図である。
【図７】自動車用デッキボードのリバーシブルモードを示す断面図である。
【図８】ガイド突起の他の実施形態を示す断面図である。
【符号の説明】
【００５５】
１    自動車用デッキボード
２    デッキサイドトリム
１１    把持部
１２    表皮
１３    切欠き
１４ａ    第１の凸部
１４ｂ    第２の凸部
１４ｃ    回動凹部
２１，２１′    ガイド突起
２１ａ    湾曲部
２１ｂ    平坦部
２２    デッキボード前端支持部
２２ａ    自重支持部
２２ｂ    上部延伸部
２２ｃ    傾斜面
２２ｄ    下段位置規制部
２２ｅ    傾斜面
２２ｆ    凹部
２２ｇ    自立位置規制部
２３    デッキボード後端支持部
２４  前端部
２５  後端部
【図１Ａ】
0005197078.tif 000002
【図１Ｂ】
0005197078.tif 000003
【図２】
0005197078.tif 000004
【図３】
0005197078.tif 000005
【図４】
0005197078.tif 000006
【図６】
0005197078.tif 000007
【図７】
0005197078.tif 000008
【図５】
0005197078.tif 000009
【図８】
0005197078.tif 000010